(57)【要約】【課題】ＬＥＤ光源からの配光角を３６０°まで広げることが可能で、消費電力が少なく、安価なＬＥＤ蛍光照明装置を提供する。【解決手段】基板２２は、取付器具側（天井面、壁面等）と対向する対向面側（床面、作業面等）に、ＬＥＤ光源部２３を実装するおもて面が位置するように設けられており、導光拡散体２４は、所定の厚みを有する断面視略円弧形状に管体２５長手方向に延伸された形状であり、凹面２９がＬＥＤ光源部２３と向かい合うように配されており、凸面２８側の短手方向両辺縁が管体２５の外側に向かって断面視略直角に屈曲した屈曲面２６ａ，２６ｂと、凹面２９側の短手方向両辺縁が基板２２の短手方向両辺縁に沿って屈曲した屈曲面２７ａ，２７ｂとを備えている。【選択図】図１１
2015140866.tif 000002
【特許請求の範囲】
【請求項１】
点灯回路を有する矩形平板状の長尺な基板と、前記基板上に管体長手方向に一列に配置された平板状の前記ＬＥＤ光源部と、光を乱反射させる加工処理が施された透光性材料からなる導光拡散体と、前記基板及び前記ＬＥＤ光源部並びに前記導光拡散体とを収容する透光性材料からなる蛍光灯状の長尺な管体とを備えたＬＥＤ蛍光照明装置において、
前記基板は、取付器具側（天井面、壁面等）と対向する対向面側（床面、作業面等）に、前記ＬＥＤ光源部を実装するおもて面が位置するように設けられており、
前記導光拡散体は、所定の厚みを有する断面視略円弧形状に管体長手方向に延伸された形状であり、凹面が前記ＬＥＤ光源部と向かい合うように配されており、凸面側の短手方向両辺縁が前記管体の外側に向かって断面視略直角に屈曲した第１屈曲面と、凹面側の短手方向両辺縁が前記基板の短手方向両辺縁に沿って屈曲した第２屈曲面とを備えることを特徴とするＬＥＤ蛍光照明装置。
【請求項２】
前記管体は、前記管体内部の取付器具側において、前記管体の長手方向に沿って、前記管体内側方向に向かい合うように配される一対の突部を備え、
前記導光拡散体は、前記第１屈曲面と前記第２屈曲面とが、前記管体の内周面に沿う断面視略円弧状に地続きに成形されてなる端面を備え、前記第１屈曲面を介して前記突部に掛止され、前記端面が、前記管体の内周面に面接することで、前記管体の内周面から支持されていることを特徴とする請求項１に記載のＬＥＤ蛍光照明装置。
【請求項３】
前記導光拡散体と前記基板とは、前記第２屈曲面を介して挾持されて又は接着されて一体化され、前記管体のサイドから前記突部に沿って挿入されていることを特徴とする請求項２に記載のＬＥＤ蛍光照明装置。
【請求項４】
前記導光拡散体は、前記第１屈曲面と前記第２屈曲面とが、前記管体と地続きに一体成形され、
前記基板は、前記第２屈曲面を介して挾持されていることを特徴とする請求項１に記載のＬＥＤ蛍光照明装置。
【請求項５】
前記基板が前記管体のサイドから前記第２屈曲面に沿って挿入されていることを特徴とする請求項４に記載のＬＥＤ蛍光照明装置。
【請求項６】
前記基板は、透光性材料からなることを特徴とする請求項１乃至請求項５のうち何れか１つに記載のＬＥＤ蛍光照明装置。
【請求項７】
前記基板は、短手方向両端縁部が透光性材料からなり、前記短手方向両端縁部を除く部分が金属からなることを特徴とする請求項１乃至請求項５のうち何れか１つに記載のＬＥＤ蛍光照明装置。
【請求項８】
前記管体は、前記管体の外周面のうち前記基板の裏面側に放熱塗料が塗布されていることを特徴とする請求項１乃至請求項７のうち何れか１つに記載のＬＥＤ蛍光照明装置。
【請求項９】
前記管体は、前記管体の外周面のうち、前記基板の裏面側にあって、長手方向の一部にヒートシンクが設けられていることを特徴とする請求項１乃至請求項８のうち何れか１つに記載のＬＥＤ蛍光照明装置。
【請求項１０】
ヒートシンクが設けられる位置が長手方向両端縁であることを特徴とする請求項９に記載のＬＥＤ蛍光照明装置。
【請求項１１】
前記ＬＥＤ光源部は有機エレクトロルミネッセンスの透光性材料からなることを特徴とする請求項１乃至請求項９のうち何れか１つに記載のＬＥＤ蛍光照明装置。
【発明の詳細な説明】
【技術分野】
【０００１】
本発明は、ＬＥＤ光源部からの光を導光拡散体によって広範囲に配光させるＬＥＤ蛍光照明装置であって、ヒートシンクをなくしたことにより、３６０°の配光が得られるようにしたＬＥＤ蛍光照明装置に関する。
【背景技術】
【０００２】
ＬＥＤ蛍光照明装置は、従来の蛍光灯に代わり普及しつつある。しかしながら、ＬＥＤの光は、直進的であるため、ＬＥＤ蛍光照明装置直下は明るく照らされるが、取付器具側（天井面，壁面等）において光が照射されず、暗い部分が生じるという問題があった。【０００３】
この問題を解決する技術として、本発明者らは、特許文献１に開示された技術を開発してきた。特許文献１に開示された技術は、基板１０２のおもて面に設けられた平板状のＬＥＤ光源部１０３から照射された光が、導光拡散体１０４内部において、凹凸加工処理により形成された表面の凹凸により乱反射し、乱反射した光が更に反射するような形状に加工されており、広範囲に照射できるというものである（特許文献１を参照）。【０００４】
この発明によれば、導光拡散体１０４の受光面が、ＬＥＤ光源部１０３のおもて面と向かい合うように配されているので、ＬＥＤ特有の直進的な光を効率的に受光することができ、導光拡散体１０４の形状を縦断面視略三日月型としたことにより、導光拡散体１０４内で乱反射した光を三日月型の曲面で受光できるので、より効率的な反射の連鎖が起き、導光拡散体１０４の三日月型曲面部の全面から広範囲に照射できる。【０００５】
また、この発明によれば、ヒートシンク１０５が、導光拡散体１０４と略同じサイズに小型化されていることから、ヒートシンク１０５によって遮蔽される部分が少なくなり、管体１０６から照射される光の配光角を３４０°まで拡大することができる。
【先行技術文献】
【特許文献】
【０００６】
【特許文献１】特開２０１３−１７５３７２号公報
【発明の概要】
【発明が解決しようとする課題】
【０００７】
しかしながら、管体１０６に嵌合されたヒートシンク１０５は、放熱性に優れるものの、ヒートシンク１０５によって遮蔽される部分が僅かながらも存在するため、管体１０６から照射される光の配光角は、３４０°であり、３６０°に至るまで、残り２０°の改善の余地があった。【０００８】
また、前述のＬＥＤ蛍光照明装置１０１の消費電力は２７．８ｗに抑えられていたが、節電意識が高まる中、より少ない電力で、経済的且つ環境にも優しいＬＥＤ蛍光照明装置が求められている。【０００９】
さらに、ＬＥＤ蛍光照明装置は、長寿命ではあるが、従来の蛍光灯と比べ割高であるため、製造コストを抑えて、より安価な値段で提供することが求められている。【００１０】
そこで、本発明が解決しようとする課題は、ＬＥＤ光源からの配光角を３６０°まで広げることが可能で、消費電力が少なく、安価なＬＥＤ蛍光照明装置を提供することである。
【課題を解決するための手段】
【００１１】
この発明は、前記課題を解決するためになされたもので、請求項１に記載のＬＥＤ蛍光照明装置は、点灯回路を有する矩形平板状の長尺な基板と、前記基板上に管体長手方向に一列に配置された平板状の前記ＬＥＤ光源部と、光を乱反射させる加工処理が施された透光性材料からなる導光拡散体と、前記基板及び前記ＬＥＤ光源部並びに前記導光拡散体とを収容する透光性材料からなる蛍光灯状の長尺な管体とを備えたＬＥＤ蛍光照明装置において、前記基板は、取付器具側（天井面、壁面等）と対向する対向面側（床面、作業面等）に、前記ＬＥＤ光源部を実装するおもて面が位置するように設けられており、前記導光拡散体は、所定の厚みを有する断面視略円弧形状に管体長手方向に延伸された形状であり、凹面が前記ＬＥＤ光源部と向かい合うように配されており、凸面側の短手方向両辺縁が前記管体の外側に向かって断面視略直角に屈曲した第１屈曲面と、凹面側の短手方向両辺縁が前記基板の短手方向両辺縁に沿って屈曲した第２屈曲面とを備えることを特徴としている。【００１２】
請求項１に記載のＬＥＤ蛍光照明装置によれば、導光拡散体の凹面がＬＥＤ光源部と向かい合うように配されており、ＬＥＤ光源部から照射された光は、凹面全面で受光され、その光の多くは、導光拡散体を透過し、そのまま管体を透過し外部へと照射されるとともに、ヒートシンクが設けられていないので、残りの光は、導光拡散体の表面に加工処理された凹凸等によって取り付け器具側まで乱反射し、光の配光角を３６０°にすることができる。【００１３】
また、請求項１に記載のＬＥＤ蛍光照明装置によれば、第１屈曲面が２つの平面からなるため、乱反射の仕方にバリエーションを増やすことができ、さらに、第１屈曲面の取付器具側に対向する平面によって取付器具側へ反射光をより多く届けることができる。【００１４】
請求項２に記載のＬＥＤ蛍光照明装置は、請求項１において、前記管体は、前記管体内部の取付器具側において、前記管体の長手方向に沿って、前記管体内側方向に向かい合うように配される一対の突部を備え、前記導光拡散体は、前記第１屈曲面と前記第２屈曲面とが、前記管体の内周面に沿う断面視略円弧状に地続きに成形されてなる端面を備え、前記第１屈曲面を介して前記突部に掛止され、前記端面が、前記管体の内周面に面接することで、前記管体の内周面から支持されていることを特徴としている。【００１５】
請求項２に記載のＬＥＤ蛍光照明装置によれば、請求項１の効果に加えて、導光拡散体が、第１屈曲面を介して突部に掛止され、端面が、管体の内周面に面接することで、管体の内周面から支持されていることにより、導光拡散体を管体内部の取付器具側の所望の位置に、安定した状態で位置させることができる。【００１６】
また、請求項２に記載のＬＥＤ蛍光照明装置によれば、第２屈曲面が２つの平面からなり、第２屈曲面の取付器具側に対して垂直である平面と第１屈曲面の取付器具側に対向する平面とが管体の外側に向かって断面視ハの字に構成され、端面の面積を広くすることができるので、受光面が広がり、取付器具側へ反射光をより多く届けることができる。【００１７】
請求項３に記載のＬＥＤ蛍光照明装置は、請求項２において、前記導光拡散体と前記基板とは、前記第２屈曲面を介して挾持されて又は接着されて一体化され、前記管体のサイドから前記突部に沿って挿入されていることを特徴としている。【００１８】
請求項３に記載のＬＥＤ蛍光照明装置によれば、請求項２の効果に加えて、導光拡散体と基板とが、第２屈曲面を介して挾持されて又は接着されて一体化されており、突部が導光拡散体及び基板挿入時のガイド機能を果たすため、管体にサイドから導光拡散体と基板とを同時に、且つ、容易に管体に装着することができ、製造工程を簡素化することができる。【００１９】
請求項４に記載のＬＥＤ蛍光照明装置は、請求項１において、前記導光拡散体は、前記第１屈曲面と前記第２屈曲面とが、前記管体と地続きに一体成形され、前記基板は、前記第２屈曲面を介して挾持されていることを特徴としている。【００２０】
請求項４に記載のＬＥＤ蛍光照明装置によれば、請求項１の効果に加えて、第１屈曲面と第２屈曲面とが、管体と地続きに一体成形されていることにより、導光拡散体と管体とを一つの部品として製造できるため、部品数を少なくすることができ、製造工程が簡素化される。【００２１】
また、請求項４に記載のＬＥＤ蛍光照明装置によれば、請求項１の効果に加えて、第２屈曲面が２つの平面からなり、第２屈曲面の取付器具側に対して垂直である平面と第１屈曲面の取付器具側に対向する平面とが管体の外側に向かって厚みを有するように断面視ハの字に構成され、管体の内周面に地続きに一体成形されていることにより、導光拡散体と管体との一体性が向上し、高い強度を有するとともに、ひび割れ等の欠損や変形を防止することができる。【００２２】
さらに、請求項４に記載のＬＥＤ蛍光照明装置によれば、請求項１の効果に加えて、第１屈曲面と第２屈曲面とが、管体と地続きに一体成形されていることにより、ＬＥＤ光源部から照射され導光拡散体内で乱反射した光は、部品間の境界によって、減衰することなく明るさが維持され、第２屈曲面の取付器具側に対して垂直である平面と地続きに一体成形された管体の内周面の形状に沿って取付器具側へより明るい光を届けることができる。【００２３】
請求項５に記載のＬＥＤ蛍光照明装置は、請求項４において、前記基板が前記管体のサイドから前記第２屈曲面に沿って挿入されていることを特徴としている。【００２４】
請求項５に記載のＬＥＤ蛍光照明装置によれば、請求項４の効果に加えて、第２屈曲面が基板挿入時のガイド機能を果たすため、管体にサイドから基板を容易に挿入することができ、製造工程を簡素化することができる。【００２５】
請求項６に記載のＬＥＤ蛍光照明装置は、請求項１乃至請求項５のうち何れか１つにおいて、前記基板は、透光性材料からなることを特徴としている。【００２６】
請求項６に記載のＬＥＤ蛍光照明装置によれば、請求項１乃至請求項５のうち何れか１つの効果に加えて、基板が、透光性材料からなるため、導光拡散体で乱反射した光を透過し、基板の裏面側にまで光を届けることができる。【００２７】
請求項７に記載のＬＥＤ蛍光照明装置は、請求項１乃至請求項５のうち何れか１つにおいて、前記基板は、短手方向両端縁部が透光性材料からなり、前記短手方向両端縁部を除く部分が金属からなることを特徴としている。【００２８】
請求項７に記載のＬＥＤ蛍光照明装置によれば、請求項１乃至請求項５のうち何れか１つの効果に加えて、基板は、短手方向両端縁部が透光性材料からなるため、導光拡散体の短手方向両辺縁で乱反射した光がそのまま基板及び管体を透過して、取付器具側にまで届けることができる。【００２９】
請求項８に記載のＬＥＤ蛍光照明装置は、請求項１乃至請求項７のうち何れか１つにおいて、管体は、管体の外周面のうち基板の裏面側に放熱塗料が塗布されていることを特徴としている。【００３０】
請求項８に記載のＬＥＤ蛍光照明装置によれば、請求項１乃至請求項７のうち何れか１つの効果に加えて、管体の外周面のうち基板の裏面側に放熱塗料が塗布されているため、基板で発生する熱を放熱するための部品を別途設けずとも、効率的に放熱することができる。【００３１】
請求項９に記載のＬＥＤ蛍光照明装置は、請求項１乃至請求項８のうち何れか１つにおいて、前記管体は、前記管体の外周面のうち、前記基板の裏面側にあって、長手方向の一部にヒートシンクが設けられていることを特徴としている。【００３２】
請求項９に記載のＬＥＤ蛍光照明装置によれば、請求項１乃至請求項８のうち何れか１つの効果に加えて、管体は、管体の外周面のうち、基板の裏面側にあって、長手方向の一部にのみヒートシンクが設けられているので、光の配光角が３６０°にならない部分が管体の長手方向の一部に表れるものの、それ以外の長手方向の全てにおいて、光の配光角を略３６０°に保つことができる。【００３３】
また、請求項９に記載のＬＥＤ蛍光照明装置によれば、ヒートシンクが設けられたことにより、ヒートシンクを介して基板で発生する熱を管体の外側に効率的に放熱することができる。【００３４】
請求項１０に記載のＬＥＤ蛍光照明装置は、請求項９において、ヒートシンクが設けられる位置が長手方向両端縁であることを特徴としている。【００３５】
請求項１０に記載のＬＥＤ蛍光照明装置によれば、請求項９の効果に加えて、ヒートシンクが設けられる位置が長手方向両端縁であるので、光の配光角が３６０°にならない部分を目立たない位置に配することができる。【００３６】
請求項１１に記載のＬＥＤ蛍光照明装置は、請求項１乃至請求項１０のうち何れか１つにおいて、前記ＬＥＤ光源部は有機エレクトロルミネッセンスの透光性材料からなることを特徴としている。【００３７】
請求項１１に記載のＬＥＤ蛍光照明装置によれば、請求項１乃至請求項１０のうち何れか１つの効果に加えて、ＬＥＤ光源部に有機エレクトロルミネッセンス（以下、有機ＥＬという。）を用いることで、発光効率は高いが、発熱が少なく、また、有機ＥＬ自体が発光するため電圧が低く抑えられ、消費電力を削減することができる。【００３８】
また、請求項１１に記載のＬＥＤ蛍光照明装置によれば、請求項１乃至請求項１０のうち何れか１つの効果に加えて、有機ＥＬは、透光性材料からなるため、陰極側からも発光層からの光が照射され、対向面側だけでなく、取付器具側にも発光層からの強い光を違和感なく照射することができる。
【発明の効果】
【００３９】
この発明によれば、ＬＥＤ光源からの配光角を３６０°まで広げることが可能で、消費電力が少なく、安価なＬＥＤ蛍光照明装置を提供することができる。
【図面の簡単な説明】
【００４０】
【図１】本発明の実施例１に係るＬＥＤ蛍光照明装置の断面図である。
【図２】本発明の実施例１に係るＬＥＤ蛍光照明装置であって、エンドキャップを外した状態を示す斜視図である。
【図３Ａ】本発明の実施例１に係るＬＥＤ蛍光照明装置の基板及びＬＥＤ光源部の構成の説明に供する図である。
【図３Ｂ】本発明の実施例１に係るＬＥＤ蛍光照明装置の導光拡散体の構成の説明に供する図である。
【図３Ｃ】本発明の実施例１に係るＬＥＤ蛍光照明装置の管体の構成の説明に供する図である。
【図４】本発明の実施例１に係るＬＥＤ蛍光照明装置において、導光拡散体と基板との一体化の説明に供する図である。
【図５】本発明の実施例１に係るＬＥＤ蛍光照明装置において、一体化された導光拡散体及び基板の管体への取り付けの説明に供する図である。
【図６】放熱塗料が塗布された状態を示す管体の断面図である。
【図７】ヒートシンクが設けられた管体の構成の説明に供する図である。
【図８】本発明の実施例１に係るＬＥＤ蛍光照明装置のＬＥＤ光源部からの光の拡散の説明に供する図である。
【図９】本発明の実施例１に係るＬＥＤ蛍光照明装置の導光拡散体の両端縁で乱反射した光の拡散の説明に供する図であって、図８におけるＡ−Ａ'部分の拡大図である。
【図１０】本発明の実施例１に係るＬＥＤ蛍光照明装置の配光角の特性を示すグラフである。
【図１１】本発明の実施例２に係るＬＥＤ蛍光照明装置の断面図である。
【図１２】本発明の実施例２に係るＬＥＤ蛍光照明装置であって、エンドキャップを外した状態を示す斜視図である。
【図１３】本発明の実施例２に係るＬＥＤ蛍光照明装置において、基板の管体への取り付けの説明に供する図である。
【図１４】本発明の実施例２に係るＬＥＤ蛍光照明装置のＬＥＤ光源部からの光の拡散の説明に供する図である。
【図１５】本発明の実施例２に係るＬＥＤ蛍光照明装置において、導光拡散体の両端縁で乱反射した光の拡散の説明に供する図であって、図１４におけるＢ−Ｂ'部分の拡大図である。
【図１６】従来のＬＥＤ蛍光照明装置を示す図である。
【発明を実施するための形態】
【００４１】
以下、本発明を適用した具体的な実施の形態について、図面を参照しながら詳細に説明する。
【実施例１】
【００４２】
本発明は、例えば、図１及び図２に示すような構成のＬＥＤ蛍光照明装置１に適用される。【００４３】
先ず、図１乃至図７を参照して、ＬＥＤ蛍光照明装置１の構成の概略について説明する。このＬＥＤ蛍光照明装置１は、図１に示すように、点灯回路を有する矩形平板状の長尺な基板２と、基板２上に長手方向に配置された平板状のＬＥＤ光源部３と、光を乱反射させる加工処理が施された透光性材料からなる導光拡散体４と、基板２及びＬＥＤ光源部３並びに導光拡散体４とを収容する透光性材料からなる蛍光灯状の長尺な管体５と管体５の両端に設けられた一対のエンドキャップ１３ａ，１３ｂと、エンドキャップ１３ａ，１３ｂに設けられた支持端子部１４ａ，１４ｂとを主要部として備えている。【００４４】
基板２は、図３Ａに示すように、例えば、断面視幅１５．８ｍｍ、厚さ１．１ｍｍのサイズで、管体長手方向に長尺な矩形平板状の形をしている。なお、基板２は、ＬＥＤ光源部３を実装するのに十分な大きさであればよく、前記サイズに限定されない。【００４５】
基板２は、ＬＥＤを点灯させるための回路を有し、例えば、短手方向両端縁部がガラスからなり、短手方向両端縁部を除く部分がアルミニウムからなる本体に配線パターンが形成され、ＬＥＤ光源部３を実装するおもて面が対向面側に位置するように設けられている。【００４６】
基板２の本体は、好ましくは、ＬＥＤ光源部３からの光を透過でき、放熱性を有する方がよいが、前記素材に限定されない。例えば、透過性を有する有機ＥＬを基板２の材料として用いてもよく、また、基板２をガラス素材のみとしてもよい。さらに、基板２に開口を設けて、取付器具側により多くの光が届くようにしてもよい。【００４７】
基板２は、図５に示すように、おもて面にＬＥＤ光源部３を実装し、導光拡散体４と後述する第２屈曲面７ａ，７ｂを介して挾持又は接着されて一体化され、管体５のサイドから、後述する突部１０ａ，１０ｂに沿って挿入されている。【００４８】
ＬＥＤ光源部３は、例えば、５．６ｍｍ×３．０ｍｍの平面視矩形状で、厚みが１ｍｍのチップである。また、ＬＥＤ光源部３は、例えば青又はそれよりも波長の短い発光ダイオードのチップを蛍光体で覆った構造をしており、例えば白色に発光する。なお、ＬＥＤ光源部３は、基板２上に収まる大きさであればよく、前記サイズに限定されない。また、ＬＥＤ光源部３は、発光層が有機化合物からなる有機ＥＬを用いてもよく、その場合、対向面側だけでなく、取付器具側にも発光層からの強い光が照射されるように、陽極及び陰極の両方に透明電極を用いる。【００４９】
導光拡散体４は、ＬＥＤ光源部３から照射される光を乱反射させ、照射角度を拡大させるために設けられている。このため、乱反射した光が更に反射するような形状、例えば、管体長手方向に長尺で、断面視略円弧形状に加工されている。【００５０】
導光拡散体４は、例えばポリカーボネートからなり、図１，図２及び図４に示すように、ＬＥＤ光源部３から照射される光を受容する凹面９と、凸面８の短手方向両端縁が管体５の外側に向かって断面視直角に屈曲した屈曲面６ａ，６ｂと、凹面９側の短手方向両端縁が基板２の短手方向両辺縁に沿って屈曲した屈曲面７ａ，７ｂとを備えている。なお、導光拡散体４は、ガラスや樹脂等の透光性材料から形成されていればよく、素材は限定されない。また、導光拡散体４は、レンズの形態に限定されず、フィルムの形態としてもよい。【００５１】
導光拡散体４は、例えば厚さ１ｍｍとしている。これは、光学設計に基づいて最適な値を定めたものである。すなわち、導光拡散体４で乱反射した光が取付器具側（天井面及び壁面）に届き、その光が照明器具の反射板で広がるように考慮したものである。なお、厚さは、前記に限定されず、例えば、両端に向かって漸増するようにしてもよい。【００５２】
凸面８は、図３Ｂに示すように、断面視例えば、両端部間の距離が１５．９ｍｍ、曲率半径が１２ｍｍの緩やかな曲面状に成形され、ＬＥＤ光源部３から照射される直進的な光を曲面形状の表面で乱反射できるように定められている。【００５３】
凹面９は、図３Ｂに示すように、例えば、両端部間の距離が１３．９ｍｍ、曲率半径が１１ｍｍの緩やかな曲面状に成形され、ＬＥＤ光源部３から照射される直進的な光の略全てを受光できるように定められている。【００５４】
屈曲面６ａ，６ｂは、後述する管体５の突部１０ａ，１０ｂで掛止され、屈曲面６ａ，６ｂの取付器具側に対向する平面が、図３Ｂに示すように、管体５の中心部から９．７ｍｍの距離に設けられている。【００５５】
屈曲面６ａ，６ｂは、２つの平面によって直角が形成されているので、乱反射の仕方にバリエーションを増やすことができ、さらに、屈曲面６ａ，６ｂの取付器具側に対向する平面によって取付器具側へ反射光をより多く届けることができる。【００５６】
屈曲面７ａ，７ｂは、２つの平面によって直角が形成されているので、基板２を余分な隙間のない状態で、しっかりと挾持又は接着している。【００５７】
端面１１ａ，１１ｂは、屈曲面６ａ，６ｂと屈曲面７ａ，７ｂとが、管体５の内周面に沿う断面視略円弧状に地続きに成形されており、管体５の内周面に面接することで、管体５の内周面から支持されている。【００５８】
端面１１ａ，１１ｂは、図３Ｂに示すように、曲率半径が１４ｍｍであって、管体５の内周面に沿うように成形されている。【００５９】
導光拡散体４は、例えば、表面に、コンプレッサーによって、研磨材を混ぜた圧縮空気を吹き付けるブラスト加工が施されている。このブラスト加工によって形成される凹凸のサイズは、１μｍから１ｍｍとされ、このブラスト加工によって表面に形成された凹凸により、ＬＥＤ光源部３から受光した光を乱反射させることができる。なお、導光拡散体４の表面の凹凸は、ブラスト加工に限られず、金型等を用いた一体成形によって形成してもよい。【００６０】
管体５は、例えば、ポリカーボネートからなり、図２に示すように、長尺で、両端が開口した直管型蛍光灯であって、図３Ｃに示すように、例えば、外周面の曲率半径が１５ｍｍであり、内周面の曲率半径が１４ｍｍ、厚さ１ｍｍの管である。なお、管体５は、透光性を有していればよく、前記素材に限定されない。また、管体５は、従来の蛍光灯と置き換え可能な大きさを有していればよく、前記サイズに限定されない。さらに、丸型蛍光灯でもよい。【００６１】
管体５は、図１乃至図４に示すように、管体５内部の取付器具側において、導光拡散体４を挟持するための管体５長手方向に延伸された、例えば、厚さ１ｍｍ、先端の曲率半径が０．５ｍｍの断面視略半楕円状の突部１０ａ，１０ｂを備え、突部１０ａ，１０ｂは、管体５の中心部から８．３ｍｍの距離に位置するように設けられ、突部１０ａ，１０ｂ間の距離が１６．３ｍｍになっている。【００６２】
管体５は、図６に示すように、管体５の外周面のうち基板２の裏面側に放熱塗料Ｐが塗布され、基板２で発生する熱を、管体５の外側に向けて効率よく放出することができるため、熱に変換される電力が抑えられ、消費電力が削減される。加えて、ヒートシンク等の部品を別途必要とせず、軽量で簡単な構造であるため、製造コストを抑えることができる。なお、放熱塗料Ｐは、管体５の外周面のうち、基板２の裏面側に限られず、基板２の裏面側周辺又は全周面に塗布されるようにしてもよい。【００６３】
管体５は、例えば、図７に示すように、管体５の外周面のうち、基板２の裏面側の長手方向両端縁に、ヒートシンク１２ａ，１２ｂを設けてもよい。このように、ヒートシンク１２ａ，１２ｂを設けることによって、基板２で発生する熱を管体５の外側にヒートシンク１２ａ，１２ｂを介して効率的に放熱することができる。【００６４】
また、ヒートシンク１２ａ，１２ｂが設ける位置を長手方向両端縁にすることで、光の配光角が３６０°にならない部分を目立たない位置に配することができるとともに、ヒートシンク１２ａ，１２ｂの素材量が僅少となるので、製造コストを抑えることができる。なお、ヒートシンク１２ａ，１２ｂの位置や数量は前述したものに限定されない。【００６５】
エンドキャップ１３ａ，１３ｂは、図７に示すように、管体５の両端に設けられ、直管型蛍光灯又は丸型蛍光灯と差し替えが可能なように、直管型蛍光灯又は丸型蛍光灯と同じエンドキャップを用いている。また、エンドキャップ１３ａ，１３ｂのそれぞれには、直管型蛍光灯又は丸型蛍光灯の端子と同様の支持端子部１４ａ，１４ｂを備えている。したがって、ＬＥＤ蛍光照明装置１は、直管型蛍光灯又は丸型蛍光灯に対応した照明器具のソケットＳ（図示せず）に、そのまま装着することができる。【００６６】
続いて、ＬＥＤ蛍光照明装置１の動作について図８を参照しながら説明する。先ず、電源が入ると基板２の回路に電源が供給されてＬＥＤ光源部３が発光する。ＬＥＤ光源部３から照射された光Ｌは、ＬＥＤ光源部３と向かい合うように設けられた導光拡散体４の凹面９で、その略全てを受光する。【００６７】
光Ｌのうち、多くの光Ｌ１は、導光拡散体４の凸面８を透過し、対向面側に照射され、残りの光Ｌ２は、凸面８及び凹面９に反射され、取付器具側に照射される。凸面８及び凹面９に反射された反射光Ｌ２のうち、一部の光Ｌ３は、基板２の短手方向両端縁部が透光性材料からなり、導光拡散体４及び管体５が、全て透光性材料からなるので、基板２の短手方向両端縁部を透過して基板２の短手方向両端縁部を除く部分の裏側にまで拡散し、管体５を透過して取付器具側まで届く。なお、透光性材料からなるＬＥＤ光源部３、例えば有機ＥＬを用い、さらに、基板２も透光性材料とした場合、光Ｌ３は、何にも遮られることなく、管体５から取付器具側へ照射される。【００６８】
凸面８及び凹面９に反射された反射光Ｌ２のうち、残りの光Ｌ４は、導光拡散体４の凸面８及び凹面９間で乱反射し、導光拡散体４内を広範囲に拡散する。【００６９】
図９に示すように、導光拡散体４内を広範囲に拡散した光Ｌ４のうち、導光拡散体４の両端縁で乱反射した光Ｌ５ａ，Ｌ５ｂのうち、一部の光Ｌ６ａ，Ｌ６ｂは、屈曲面６ａ，６ｂの取付器具側に対向する平面で反射し、反射した光Ｌ７ａ，Ｌ７ｂは、取付器具側の基板２の裏側へより多く届く。【００７０】
また、光Ｌ５ａ，Ｌ５ｂのうち、残りの光Ｌ８ａ，Ｌ８ｂは、屈曲面７ａ，７ｂの取付器具側に対して垂直である平面と屈曲面６ａ，６ｂの取付器具側に対向する平面とが管体５の外側に向かって断面視ハの字に構成されることで広がった端面１１ａ，１１ｂの受光面で反射し、反射した光Ｌ９ａ，Ｌ９ｂは、取付器具側へより多く届く。【００７１】
以上の通り、ＬＥＤ光源部３から照射された光Ｌは、対向面側と取付器具側の両方へ、それぞれ広範囲に照射されるため、光の配光角を３６０°まで拡大することができる。
【実施例２】
【００７２】
本発明は、例えば図１１乃至図１５に示すような構成のＬＥＤ蛍光照明装置２１に適用することもできる。【００７３】
このＬＥＤ蛍光照明装置２１の構成は、ＬＥＤ蛍光照明装置１の構成において、図１１及び図１２に示すように、屈曲面２６ａ，２６ｂと屈曲面２７ａ，２７ｂとが、管体２５と地続きに一体成形されている点において異なっている。したがって、ＬＥＤ蛍光照明装置２１の構成及び動作は、ＬＥＤ蛍光照明装置１と略同じであり、ＬＥＤ光源部から照射された光を取付器具側へ届けることができ、光の配光角を３６０°にすることができる点において共通している。この共通する構成や動作については既に詳述しているため省略し、ここでは、主として、異なる構成及び動作について詳述する。【００７４】
ＬＥＤ蛍光照明装置２１は、図１１及び図１２に示すように、屈曲面２６ａ，２６ｂと屈曲面２７ａ，２７ｂとが、管体２５と地続きに一体成形されており、導光拡散体２４と管体２５とを一つの部品として同時に製造できるため、部品数を少なくすることができ、製造工程が簡素化できる。【００７５】
また、導光拡散体２４と管体２５との一体性が向上し、高い強度を有するとともに、ひび割れ等の欠損や変形を防止することができる。さらに、ＬＥＤ光源部２３から照射され、導光拡散体２４内で乱反射した光は、部品間の境界によって、減衰することなく明るさが維持され、屈曲面２７ａ，２７ｂの取付器具側に対して垂直である平面と地続きに一体成形された管体２５の内周面の形状に沿って取付器具側へより明るい光を届けることができる。【００７６】
さらに、図１３に示すように、屈曲面２７ａ，２７ｂが基板２２挿入時のガイド機能を果たすため、管体２５にサイドから基板２２を容易に挿入することができ、製造工程を簡素化することができる。【００７７】
加えて、図１４及び図１５に示すように、光Ｌ２５ａ，Ｌ２５ｂは、部品間の境界によって、減衰することなく明るさが維持され、屈曲面２７ａ，２７ｂの取付器具側に対して垂直である平面と地続きに一体成形された管体２５の内周面の形状に沿って取付器具側へ届く。【００７８】
最後に、ＬＥＤ蛍光照明装置２１の特性を示す。図１０は、ＬＥＤ蛍光照明装置２１の実測値に基づく照射範囲を示すグラフである。図１０に示すように、ＬＥＤ光源部３からの光が略３６０°の角度に照射されていることが分かる。【００７９】
表１は、ＬＥＤ蛍光照明装置２１の実測値に基づく照度を他社と比較した表である。
【表１】
2015140866.tif 000003
【００８０】
表１が示すように、ＬＥＤ蛍光照明装置２１は、消費電力を抑えながらも演色性の高い、自然光に近く目に優しい光を発光することが分かる。このように、ＬＥＤ蛍光照明装置２１は、優れた特性を有することが実証された。【００８１】
なお、本発明は前述した実施の形態のみに限定されるものではなく、本発明の要旨を逸脱しない範囲において種々の変更が可能であることは勿論である。
【符号の説明】
【００８２】
１      ＬＥＤ蛍光照明装置
２      基板
３      ＬＥＤ光源部
４      導光拡散体
５      管体
６ａ，６ｂ  第１屈曲面
７ａ，７ｂ  第２屈曲面
８      凸面
９      凹面
１０ａ，１０ｂ  突部
１１ａ，１１ｂ  端面
１２ａ，１２ｂ  ヒートシンク
１３ａ，１３ｂ  エンドキャップ
１４ａ，１４ｂ  支持端子部
Ｌ１，Ｌ２，Ｌ３，Ｌ４，Ｌ５，Ｌ６，Ｌ７，Ｌ８，Ｌ９，Ｌ２１，Ｌ２２，Ｌ２３，Ｌ２４，Ｌ２５  光
２１    ＬＥＤ蛍光照明装置
２２    基板
２３    ＬＥＤ光源部
２４    導光拡散体
２５    管体
２６ａ，２６ｂ  第１屈曲面
２７ａ，２７ｂ  第２屈曲面
２８      凸面
２９      凹面
Ｐ      放熱塗料
Ｓ      ソケット
Ｇ      ガラス部
１０１  ＬＥＤ蛍光照明装置
１０２  基板
１０３  ＬＥＤ光源部
１０４  導光拡散体
１０５  ヒートシンク
１０６  管体
【図１】
2015140866.tif 000004
【図２】
2015140866.tif 000005
【図３Ａ】
2015140866.tif 000006
【図３Ｂ】
2015140866.tif 000007
【図３Ｃ】
2015140866.tif 000008
【図４】
2015140866.tif 000009
【図５】
2015140866.tif 000010
【図６】
2015140866.tif 000011
【図７】
2015140866.tif 000012
【図８】
2015140866.tif 000013
【図９】
2015140866.tif 000014
【図１０】
2015140866.tif 000015
【図１１】
2015140866.tif 000016
【図１２】
2015140866.tif 000017
【図１３】
2015140866.tif 000018
【図１４】
2015140866.tif 000019
【図１５】
2015140866.tif 000020
【図１６】
2015140866.tif 000021
【国際調査報告】
2015140866.tif 000022
2015140866.tif 000023
2015140866.tif 000024
2015140866.tif 000025